(57)【特許請求の範囲】
【請求項１】
ブームの先端部とジブの基端部との間に介装されるアダプタ本体と、
補助用の巻き上げ装置のワイヤロープを案内する補助シーブと、
基端部がアダプタ本体に連結され、先端部に補助シーブが回転自在に支持された補助シーブ支持部材と、を備え、
補助シーブ支持部材は、水平方向に延びるブームの先端部に取り付けられた状態で、アダプタ本体の下部においてジブの取付面から張り出している
ことを特徴とするジブ取付用アダプタ。
【請求項２】
補助シーブ支持部材は、アダプタ本体に対して張り出した姿勢である張出姿勢と、格納した姿勢である格納姿勢と、の切り換えが可能である
ことを特徴とする請求項１に記載のジブ取付用アダプタ。
【請求項３】
アダプタ本体は、水平方向に延びるブームの先端部に取り付けられた状態で、幅方向一端側がブームの先端部の幅方向一端部に上下方向を回転中心に回動自在に連結されており、幅方向他端側を一端側に回動させることで、ブームの側方に格納される
ことを特徴とする請求項１または２に記載のジブ取付用アダプタ。
【発明の詳細な説明】
【技術分野】
【０００１】
本発明は、例えば、移動式クレーンの伸縮ブームの先端部に取り付ける際に伸縮ブームとジブとの間に介装されるジブ取付用アダプタに関するものである。
【背景技術】
【０００２】
従来のジブ取付用アダプタとしては、移動式クレーンのブームの先端部とジブの基端部との間に介装されるアダプタ本体を備え、ブームの先端部に取り付けられたアダプタ本体に対してジブを着脱するようにしたものが知られている（例えば、特許文献１参照）。
【０００３】
また、従来の移動式クレーンは、主巻き取り装置及び補助巻き取り装置を備えており、補助巻き取り装置のワイヤロープをブームの先端部から吊り下げる際に、ワイヤロープを案内するための補助シーブがブームヘッドから張り出すように設けられている（例えば、特許文献２参照）。この補助シーブは、ブームヘッドの下部から前方に張り出した姿勢である張出姿勢と、ブームヘッドの側面側に格納された姿勢である格納姿勢と、の切り換えが可能である。
【先行技術文献】
【特許文献】
【０００４】
【特許文献１】特開２００７−２２７９０号公報
【特許文献２】登録実用新案第３０３１８８３号公報
【発明の概要】
【発明が解決しようとする課題】
【０００５】
前記移動式クレーンでは、ブームヘッドにジブ取付用アダプタが取り付けられている状態で、補助シーブを張出姿勢にすることができない。このため、ブームヘッドにジブ取付用アダプタが取り付けられた状態の移動式クレーンでは、補助シーブを使用してクレーン作業を行う場合に、ジブ取付用アダプタを取り外す作業を行った後に、補助シーブを張り出す作業を行わなければならず、作業効率が低下する。
【０００６】
本発明の目的とするところは、ブームヘッドに対する着脱作業の頻度を低下させることで、作業効率を向上させることのできるジブ取付用アダプタを提供することにある。
【課題を解決するための手段】
【０００７】
本発明は、前記目的を達成するために、ブームの先端部とジブの基端部との間に介装されるアダプタ本体と、補助用の巻き上げ装置のワイヤロープを案内する補助シーブと、基端部がアダプタ本体に連結され、先端部に補助シーブが回転自在に支持された補助シーブ支持部材と、を備え、補助シーブ支持部材は、水平方向に延びるブームの先端部に取り付けられた状態で、アダプタ本体の下部においてジブの取付面から張り出している。
【０００８】
これにより、アダプタ本体がブームの先端部に取り付けられた状態で補助シーブが使用可能となることから、ジブ取付用アダプタをブームの先端部から取り外すことなく、ジブを使用したクレーン作業と補助シーブを使用したクレーン作業とが切り換えられる。
【発明の効果】
【０００９】
本発明によれば、ジブ取付用アダプタをブームの先端部から取り外すことなく、ジブを使用したクレーン作業と補助シーブを使用したクレーン作業とを切り換えることができるので、ジブ取付用アダプタの着脱作業の頻度を低下させることで、作業効率を向上させることが可能となる。
【図面の簡単な説明】
【００１０】
【図１】本発明の一実施形態を示すジブ取付用アダプタを介してジブが取り付けられた伸縮ブームの要部側面図である。
【図２】ジブ取付用アダプタの側面図である。
【図３】補助シーブの格納姿勢を示すジブ取付用アダプタの側面図である。
【図４】ジブ取付用アダプタの格納姿勢を示す平面図である。
【発明を実施するための形態】
【００１１】
図１乃至図４は、本発明の一実施形態を示すものである。
【００１２】
本発明のジブ取付用アダプタ１００は、図１に示すように、移動式クレーンの伸縮ブーム１０にジブ２０を取り付ける際に、伸縮ブーム１０の先端部とジブ２０の基端部との間に介装されるものである。また、本発明のジブ取付用アダプタ１００が取り付けられる移動式クレーンは、主巻き上げ装置及び補助巻き上げ装置を備え、それぞれの巻き上げ装置によるクレーン作業が可能である。
【００１３】
尚、伸縮ブーム１０は、移動式クレーンの車体に対して起伏動作を行うものであるが、本実施形態の説明では、伸縮ブーム１０の伸縮方向を水平方向に向けた状態を基準として上下方向の記載を行うとともに、伸縮ブーム１０の伸縮方向の基端部側から先端部側に向かう方向を前方と定義し、先端部側から基端部側に向かう方向を後方と定義して記載する。
【００１４】
伸縮ブーム１０は、筒状に形成された複数のブーム部材によって構成されたテレスコピック機構によって伸縮自在となっており、図示しない油圧式のシリンダによって伸縮動作を行う。また、伸縮ブーム１０の最先端側に位置するブーム部材の先端部には、図１に示すように、上下方向に延びるブームヘッド１１が設けられている。
【００１５】
また、ブームヘッド１１の幅方向両側面の上部及び下部には、ジブ取付用アダプタ１００を連結可能な連結ブラケット１１ａが設けられている。連結ブラケット１１ａには、連結ピンが上下方向に挿通されるピン挿通孔が設けられている。ブームヘッド１１の幅方向両側のそれぞれにおいて、上下方向に配置された連結ブラケット１１ａのピン挿通孔は、互いに上下方向に重なる位置に設けられている。
【００１６】
ジブ２０は、図１に示すように、ジブ取付用アダプタ１００に連結されるジブベース２１に対して起伏自在に設けられたジブ本体２２を有し、油圧式のチルトシリンダ２３によって起伏動作を行う。ジブ本体２２は、筒状に形成された複数のブーム部材によって構成されたテレスコピック機構によって伸縮自在となっており、図示しない油圧式のシリンダによって伸縮動作を行う。
【００１７】
また、ジブベース２１の幅方向両側の上部及び下部には、ジブ取付用アダプタ１００に連結可能な連結部２１ａが設けられている。連結部２１ａには、連結ピンがジブ２０の幅方向に挿通されるピン挿通孔が設けられている。
【００１８】
ジブ取付用アダプタ１００は、ブームヘッド１１に設けられた連結ブラケット１１ａの連結ピンの挿通方向に対して、ジブベース２１に設けられた連結部２１ａの連結ピンの挿通方向が異なる場合に用いられる。
【００１９】
ジブ取付用アダプタ１００は、図１に示すように、ブームヘッド１１の先端面及び先端側の側面を上下方向に渡って覆うアダプタ本体１１０と、ジブ２０の着脱作業時にジブ２０を吊り下げるワイヤロープを案内するためのジブ着脱用シーブ１２０と、ジブ着脱用シーブ１２０を回転自在に支持するためのシーブ支持部材１３０と、補助巻き上げ装置のワイヤロープを案内するための補助シーブ１４０と、補助シーブ１４０を回転自在に支持するための補助シーブ支持部材１５０と、を有している。
【００２０】
アダプタ本体１１０におけるブームヘッド１１に対向する面側には、幅方向両側の上部及び下部のそれぞれに設けられ、ブームヘッド１１に設けられた連結ブラケット１１ａに連結可能なブーム側ブラケット１１１が設けられている。ブーム側ブラケット１１１には、図２に示すように、連結ピンが上下方向に挿通される挿通孔１１１ａが設けられている。
【００２１】
また、アダプタ本体１１０におけるジブ２０が取り付けられる面側には、幅方向両側の上部及び下部のそれぞれに設けられ、ジブベース２１に設けられた連結部２１ａに連結可能なジブ側ブラケット１１２が設けられている。ジブ側ブラケット１１２には、図２に示すように、連結ピンが幅方向に挿通される挿通孔１１２ａが設けられている。
【００２２】
アダプタ本体１１０の幅方向両外側には、作業者が把持可能な把持部１１３が設けられている。
【００２３】
シーブ支持部材１３０は、アダプタ本体１１０の上面の幅方向中央部に設けられている。シーブ支持部材１３０は、図２に示すように、先端部にジブ着脱用シーブ１２０が支持され、基端部がアダプタ本体１１０に対して幅方向に回動自在に支持されている。また、シーブ支持部材１３０は、アダプタ本体１１０に対して幅方向に回動自在に支持された基端部側部材１３１と、基端部側部材１３１に対して伸縮ブーム１０の伸縮方向に回動自在に支持された先端部側部材１３２と、を有している。シーブ支持部材１３０は、アダプタ本体１１０に対して基端部側部材１３１を回動させるとともに、基端部側部材１３１に対して先端部側部材１３２を回動させることにより、ジブ着脱用シーブ１２０が上方に張り出した張出姿勢と、ジブ着脱用シーブ１２０を格納した格納姿勢と、の切り換えが可能である。
【００２４】
補助シーブ支持部材１５０は、図２に示すように、アダプタ本体１１０の前側の下部に設けられている。補助シーブ支持部材１５０は、基端部がアダプタ本体１１０の幅寸法と略同一の幅寸法を有し、先端部に向かって幅寸法が徐々に小さくなり、先端部に補助シーブ１４０が支持されている。補助シーブ支持部材１５０は、基端部の幅方向一端部がアダプタ本体１１０の幅方向一端部側に対して支軸１５１を介して回動自在に連結されるとともに、基端部の幅方向他端部がアダプタ本体１１０の幅方向他端側に対して連結ピンによって係脱自在に構成されている。補助シーブ支持部材１５０は、基端部の幅方向他端部をアダプタ本体１１０の幅方向他端部に連結することにより、図２に示すように、補助シーブ１４０がアダプタ本体１１０の前方且つ斜め下方に向かって張り出した張出姿勢となり、基端部の幅方向他端部とアダプタ本体１１０の幅方向他端部との連結を解除して幅方向一方側に回動させることにより、図３に示すように、補助シーブ１４０がアダプタ本体１１０の幅方向一側面側に位置する格納姿勢となる。
【００２５】
以上のように構成されたジブ取付用アダプタ１００は、伸縮ブーム１０にジブ２０を取り付ける際に、ブームヘッド１１とジブ２０のジブベース２１との間に介装される。
【００２６】
また、伸縮ブーム１０に対してジブ２０を取り付ける作業を行う場合には、ジブ取付用アダプタ１００をブームヘッド１１に取り付け、シーブ支持部材１３０を張出姿勢とするとともに、補助シーブ支持部材１５０を格納姿勢とする。この状態で、主巻き上げ装置のワイヤロープをジブ着脱用シーブ１２０に掛け回して伸縮ブーム１０の前方の地面に載置されたジブ２０の基端部に接続し、ジブ２０の基端側を持ち上げてジブ取付用アダプタ１００にジブ２０を連結する。このとき、補助シーブ支持部材１５０は、格納姿勢であるため、上方に移動するジブ２０の基端側が補助シーブ１４０に接触することはない。
【００２７】
また、ジブ２０によるクレーン作業から補助シーブ１４０を用いたクレーン作業に作業を切り換える場合には、ジブ取付用アダプタ１００からジブ２０を取り外す。ジブ２０を取り外す作業では、シーブ支持部材１３０を張出姿勢とするとともに、補助シーブ支持部材１５０を格納姿勢とし、主巻き上げ装置のワイヤロープをジブ着脱用シーブ１２０に掛け回してジブ２０の基端部に接続し、ジブ２０を地面に下ろす。ジブ取付用アダプタ１００に連結されたジブ２０を地面に下ろす場合においても、補助シーブ支持部材１５０を格納姿勢とすることで、下方に移動するジブ２０の基端側が補助シーブ１４０に接触することはない。
【００２８】
補助シーブ１４０を用いたクレーン作業を行う場合には、シーブ支持部材１３０を格納姿勢とするとともに、補助シーブ支持部材１５０を張出姿勢とし、補助巻き上げ装置のワイヤロープを補助シーブ１４０に掛け回す。
【００２９】
また、ブームヘッド１１に取り付けられたジブ取付用アダプタ１００は、幅方向一方の上下両側の連結ブラケット１１ａとブーム側ブラケット１１１との連結を解除し、幅方向他方側に回動させることにより、図４に示すように、ブームヘッド１１の側方に格納することが可能である。
【００３０】
このように、本実施形態のジブ取付用アダプタによれば、伸縮ブーム１０の先端部とジブ２０の基端部との間に介装されるアダプタ本体１１０と、補助巻き上げ装置のワイヤロープを案内するための補助シーブ１４０と、を備えている。
【００３１】
これにより、ジブ取付用アダプタ１００を伸縮ブーム１０の先端部から取り外すことなく、ジブ２０を使用したクレーン作業と補助シーブ１４０を使用したクレーン作業とを切り換えることができるので、ジブ取付用アダプタ１００の着脱作業の頻度を低下させることで、作業効率を向上させることが可能となる。
【００３２】
また、基端部がアダプタ本体１１０に連結され、先端部に補助シーブ１４０が回転自在に支持された補助シーブ支持部材１５０を備え、補助シーブ支持部材１５０は、アダプタ本体１１０の下部から前方に張り出している。
【００３３】
これにより、アダプタ本体１１０に取り付けられたジブ２０の下方に補助シーブ１４０を位置させることが可能となり、ジブ２０の取付姿勢に影響を及ぼすことはない。
【００３４】
また、補助シーブ支持部材１５０は、アダプタ本体１１０に対して張り出した姿勢である張出姿勢と、格納した姿勢である格納姿勢と、の切り換えが可能である。
【００３５】
これにより、ジブ着脱用シーブ１２０に掛け回したワイヤロープによってジブ２０の基端側を上下方向に移動させる際に、ジブ２０の基端部が補助シーブ１４０及び補助シーブ支持部材１５０に接触することがないので、補助シーブ支持部材１５０の破損を防止することができる。
【００３６】
また、アダプタ本体１１０は、幅方向一端側がブームヘッド１１の先端部の幅方向一端部に上下方向を回転中心に回動自在に連結されており、幅方向他端側を一端側に回動させることで、ブームヘッド１１の側方に格納される。
【００３７】
これにより、ジブ取付用アダプタ１００を使用しない場合に、伸縮ブーム１０から取り外すことなく、ブームヘッド１１の側方に格納することができるので、ジブ取付用アダプタ１００の着脱の頻度を少なくし、より作業効率を向上させることが可能となる。
【００３８】
尚、前記実施形態では、補助シーブ支持部材１５０の基端部の幅方向一端部を、アダプタ本体１１０の幅方向一端部側に対して支軸１５１を介して回動自在に連結することで、補助シーブ１４０をアダプタ本体１１０の一側面側に格納するようにしたものを示したが、これに限られるものではない。例えば、補助シーブ支持部材をアダプタ本体１１０に対して前後方向に回動自在、または前後方向に移動自在に構成することで、補助シーブをアダプタ本体の下方に格納するようにしてもよい。
【符号の説明】
【００３９】
１０…伸縮ブーム、２０…ジブ、１００…ジブ取付用アダプタ、１１０…アダプタ本体、１２０…ジブ着脱用シーブ、１３０…シーブ支持部材、１４０…補助シーブ、１５０…補助シーブ支持部材、１５１…支軸。
【図１】
0006627235.tif 000002
【図２】
0006627235.tif 000003
【図３】
0006627235.tif 000004
【図４】
0006627235.tif 000005